(57)【要約】【課題】発射精度の高い発射レールを備えた遊技機を提供すること【解決手段】遊技盤７を装着するフレーム４の開口部下方には、略長方形の板状に形成された板状部８が形成されている。板状部８の正面視右側には、金属製で円筒状のボス部が４本突設されている。ボス部には、円筒の中心にビスをねじ込むための固定孔１０が形成されている。発射ユニット１１には、ボス部９に対応する位置にビスが貫通するための係合孔２２が設けられており、係合孔２２からボス部の固定孔１０にビスが締着されて、発射ユニット１１は板状部８に取り付けられる。【選択図】  図１
2004223116.tif 000002
【特許請求の範囲】
【請求項１】
遊技領域が前面に形成された遊技盤を載置するフレームと、当該フレームの下部に取り付けられ、遊技球を前記遊技領域に向けて発射する発射装置と、
当該発射装置から発射される遊技球の発射方向を案内する発射レールと、
当該発射レールが固定され、複数の係合孔を有するベースプレートと、
を備えた遊技機であって、
前記フレームに突出形成され、上部に孔部を有する突起部と、
前記ベースプレートの前記係合孔にビスを貫通させ、前記突起部の孔部にねじ込んで固定することにより、前記発射レールを前記フレームに取り付けたことを特徴とする遊技機。
【請求項２】
前記フレームと前記ベースプレートとの間に、複数の補強リブを有する取付台を備え、
当該取付台は、前記突起部を貫通させる貫通孔を有し、
前記突起部は、当該貫通孔に貫通することにより、前記フレーム、前記取付台、及び前記発射レールを固定することを特徴とする請求項１に記載の遊技機。
【請求項３】
前記発射装置と前記発射レールとを前記ベースプレートに一体に取り付けたことを特徴とする請求項１又は２に記載の遊技機。
【発明の詳細な説明】
【０００１】
【発明の属する技術分野】
本発明は、遊技機の発射レールに関するものである。
【０００２】
【従来の技術】
従来、遊技機の一種であるパチンコ機は、金属製や樹脂製のフレームに遊技領域を備えた遊技盤を載置し、さらに各種の部品を配置して構成されている。このような部品としては、遊技球を遊技領域に向けて発射する発射装置、発射装置から発射される遊技球を案内する発射レール、発射レールに沿って飛球する遊技球をガイドするガイドレール等がある。そして、一般に、遊技盤下方のフレームに発射装置及び発射レールを配設し、遊技盤にガイドレールが配設されている。
【０００３】
また、発射レールの取付位置には、中心に孔のあいた円筒状のボス部がフレームに突設され、発射レールにはこれらのボス部に対応する位置に連結片が形成されており、これらの連結片に形成した貫通孔にボス部を挿入して、ビスを連結片からボス部の孔に螺着して固定している（例えば、特許文献１参照）。
【０００４】
【特許文献１】
特開平７−２９９２２２号公報
【０００５】
【発明が解決しようとする課題】
しかしながら、このような従来の発射レールの固定方法では、円筒状のボス部を大径の貫通孔に挿入するため、両者間に若干の間隙があり、そのためフレームと発射レールがずれて取り付けられることがあり、この取付誤差の影響により、両者の位置決め関係が万全でなく、遊技球の発射精度にむらが出るという問題点があった。
【０００６】
また、遊技部材を取り付ける際の補強のために、フレームと発射レールとの間に補強リブを有する取付台を設けることもあるが、このような場合、フレームに取付台をビス止めし、その取付台に対して発射レールをビス止めするために、各々の間で取付誤差が発生し、この誤差が累積するために、発射レールの位置決めが万全でなく、遊技球の発射精度にむらが出るという問題点があった。
【０００７】
本発明は、上述の問題点を解決するためになされたものであり、発射精度の高い発射レールを備えた遊技機を提供することを目的とする。
【０００８】
【課題を解決するための手段】
上記目的を達成するために、請求項１に記載の遊技機は、遊技領域が前面に形成された遊技盤を載置するフレームと、当該フレームの下部に取り付けられ、遊技球を前記遊技領域に向けて発射する発射装置と、当該発射装置から発射される遊技球の発射方向を案内する発射レールと、当該発射レールが固定され、複数の係合孔を有するベースプレートとを備えた遊技機であって、前記フレームに突出形成され、上部に孔部を有する突起部と、前記ベースプレートの前記係合孔にビスを貫通させ、前記突起部の孔部にねじ込んで固定することにより、前記発射レールを前記フレームに取り付けたことを特徴とする。
【０００９】
この構成の遊技機では、ベースプレートに発射レールを固定し、そのベースプレートの係合孔を、フレームに設けられた突起部に合わせ、ビスをまずベースプレートの係合孔に貫通させ、次に突起部の孔部にねじ込んでベースプレートを突起部に固定する。このようにして、発射レールがフレームに取り付けられる。遊技球は、発射装置から発射され、発射レール上を遊技領域に向かって進む。
【００１０】
請求項２に記載の遊技機は、請求項１に記載の発明の構成に加え、前記フレームと前記ベースプレートとの間に、複数の補強リブを有する取付台を備え、当該取付台は、前記突起部を貫通させる貫通孔を有し、前記突起部は、当該貫通孔に貫通することにより、前記フレーム、前記取付台、及び前記発射レールを固定することを特徴とする。
【００１１】
この構成の遊技機では、請求項１に記載の発明の作用に加え、フレームの突起部を取付台の貫通孔に貫通させた上で、ベースプレートの係合孔を、フレームに設けられた突起部に合わせ、ビスを係合孔に貫通させ、突起部の孔部にねじ込んで固定する。このようにして、ベースプレートは、取付台を挟んで、フレームに直に取り付けられる。遊技球は、発射装置から発射され、発射レール上を安定して遊技領域に向かって進む。
【００１２】
請求項３に記載の遊技機は、請求項１又は２に記載の発明の構成に加え、前記発射装置と前記発射レールとを前記ベースプレートに一体に取り付けたことを特徴とする。
【００１３】
この構成の遊技機では、請求項１又は２に記載の発明の作用に加え、ベースプレートに発射装置を発射レールと一体に取り付けた上で、ベースプレートの係合孔を、フレームに設けられた突起部に合わせ、ビスを係合孔に貫通させ、突起部の孔部にねじ込んで固定する。
【００１４】
【発明の実施の形態】
以下、本発明の実施形態について、図面に基づいて説明する。図１は、本発明の遊技機であるパチンコ機１のガラス枠及び上下の皿扉を開放した状態の正面図、図２は遊技盤７を取り外した状態のパチンコ機１の正面図、図３は遊技盤７及び取付台４１を取り外した状態のパチンコ機１の正面図である。
【００１５】
まず、図１に示すように、本実施形態のパチンコ機１は、縦長の矩形状に枠組み形成された機枠２と、機枠２の一側にヒンジ機構３により開閉自在に装着されるフレーム４とを備えている。そして、図示は省略するが、フレーム４の前面には、遊技領域３３を保護するガラス枠と、遊技球を供給し、かつ賞品球を受ける上皿を有する上部皿扉と、賞品球を受ける下皿を有する下部皿扉とが、それぞれ開閉自在に軸支されて構成されている。また、下部皿扉には、打球発射用の発射ハンドルが設けられている。これらのガラス枠と上下の皿扉によって覆われている部分には、図１に示す構造が配設されている。
【００１６】
図２及び図３に示すように、フレーム４は、鉄板等の金属板により形成されており、上部に略正方形状の開口部６が形成され、この開口部６を覆うように遊技盤７が着脱可能に取り付けられるようになっている。そして、図１に示すように、遊技盤７には、後述する発射装置から発射される遊技球を案内するための円弧状の外レール３１及び内レール３２が取り付けられている。これらの外レール３１の一部と内レール３２により遊技領域３３が形成されている。遊技領域３３には、遊技球が入賞する各種の役物や、装飾用の電飾ランプ、ＬＥＤ、風車、多数の障害釘等（図示外）が設けられている。
【００１７】
フレーム４の開口部６の下方には、略長方形の板状に形成された板状部８が形成されている。板状部８の前面には、正面視右側に、遊技球を遊技領域に向けて発射する発射装置を備えた発射ユニット１１が配設され、中央にスピーカー（図示外）が、正面視左側にはこぼれ球を受ける球受け部（図示外）が配置される。
【００１８】
図３に示すように、フレーム４の板状部８上の正面視右側、すなわち発射ユニット１１の後側には、金属製で円筒状のボス部９が４本突設されている。これらのボス部９は、板状部８に裏側から垂直にカシメ着されている。また、ボス部９には、円筒の中心にビスをねじ込むための固定孔１０が形成されている。これらのボス部９は、発射ユニット１１を板状部８に固定するためのものである。発射ユニット１１には、ボス部９に対応する位置にビスが貫通するための係合孔２２が設けられており（図４参照）、係合孔２２からボス部９の固定孔１０にビスが締着されて、発射ユニット１１は板状部８に取り付けられる。従って、ボス部９の数は、発射ユニット１１を固定するために必要十分な数であればよく、４本に限られるものではない。例えば、３本や５本等の複数本でもよい。また、ボス部９の位置は、本実施の形態では、発射ユニット１１の発射モータ１３の配設位置近傍に２本、遊技球が発射レール１４から発射される発射口の近傍に２本配置しているが、これに限られるものではない。
【００１９】
尚、本実施形態では、フレーム４は成形時の誤差を最小限に抑え、さらにパチンコ機１のリサイクルを容易にするために、冷間圧延鋼板１種（ＳＰＣＣ）で形成しているが、このような金属板に限らず、合成樹脂で形成してもよい。合成樹脂で形成する場合には、成型の自由度が高くなる効果が得られる。
【００２０】
次に、図４を参照して、遊技球を遊技領域３３に向けて発射するための発射ユニット１１について説明する。図４は、発射ユニット１１の正面図である。発射ユニット１１は、遊技者の発射ハンドルの操作に従って、発射位置に置かれた遊技球を打撃して発射させる発射槌１２と、発射槌１２を駆動する発射モータ１３と、発射槌１２により発射された遊技球を遊技盤上に案内する発射レール１４とが、１枚の金属板により形成されたベースプレート１５に一体となって組み付けられている。発射槌１２と発射レール１４とはベースプレート１５の一方の面に配設され、発射モータ１３は、ベースプレート１５の他方の面の、発射槌１２の裏側にあたる部分に配設されている。
【００２１】
発射レール１４は、金属製の本体レール１６と、樹脂製の取付部材１７によって構成されている。本体レール１６は、遊技球を保持するために上面に浅いＶ字状のガイド溝を有し、取付部材１７を覆うように断面略Ｍ字状で長尺に形成されている。また、本体レール１６の前面側には、本体レール１６を取付部材１７に固定するためのねじ孔１９が設けられている。取付部材１７は、本体レール１６と同様に長尺に形成され、ベースプレート１５に固定するための２箇所のねじ孔１８が取付部材１７を貫通して穿設され、本体レール１６のねじ孔１９に対応する位置にねじ孔２０が設けられている。本体レール１６と取付部材１７とは、ねじ孔１９からねじ孔２０にビスを締着することにより固定される。また、本体レール１６と取付部材１７とが組み付けられた発射レール１４は、ねじ孔１８からベースプレート１５に穿設された取付孔２１にビスを締着させることにより、ベースプレート１５に固定されている。
【００２２】
ベースプレート１５は、１枚の金属板により形成されており、ベースプレート１５には、ベースプレート１５をフレーム４の板状部８に固定するため、ボス部９に対応する位置に、ビスでねじ止めするための係合孔２２が４箇所穿設されている。これらの係合孔２２は、発射モータ１３を挟んで２箇所と、発射レール１４の発射槌１２と逆側の端部近くの発射レール１４を挟む２箇所に設けられている。また、ベースプレート１５には、発射レール１４を固定するため、発射レール１４の取付部材１７に設けられたねじ孔１８に対応する位置に取付孔２１が複数穿設されている。
【００２３】
以上のように構成された発射ユニット１１をフレーム４の板状部８に取り付けるには、発射ユニット１１を板状部８の前面の正面視右側に持っていき、ベースプレート１５に穿設された係合孔２２と板状部８に設けられたボス部９とを対向させる。そして、係合孔２２にビスを貫通させ、ボス部９の固定孔１０にねじ止めする。これにより、発射ユニット１１がフレーム４に組み付け固定される。以上の構成では、従来例のように発射レール１４に貫通孔を設けてボス部９を貫通させてねじ止めするようには構成されていないので、ボス部を大径の貫通孔に挿入した場合に発生するような間隙が発生せず、取付誤差が最小限となり、両者の位置決めを高精度で実現することができる。従って、パチンコ機１を量産した場合にも、発射ユニット１１から発射される遊技球の飛び精度がパチンコ機１によってばらつくことが少なく、信頼度の高いパチンコ機１を提供することができる。
【００２４】
さらに、板状部８の前面には、発射ユニット１１の他、スピーカー（図示外）や、こぼれ球を受けるための球受部（図示外）などが設置される。これらの部品を支えるための強度を増すために、板状部８の前面には、図２に示すように、合成樹脂製の取付台４１が配設されている。取付台４１は、井桁状に交差する補強用リブ４２が一体成形されてなっている。そして、取付台４１には、ボス部９が貫通する貫通孔４３が形成されている。貫通孔４３は、ボス部９とベースプレート１５の係合孔２２のねじ止めによる位置決めを阻害しないように、ボス部９の径よりも大きな径の孔を有するように形成している。
【００２５】
取付台４１を挟んで発射ユニット１１をフレーム４の板状部８に取り付けるには、まず、取付台４１の貫通孔４３にボス部９を貫通させる。貫通孔４３は、ボス部９の径よりも大きな径に形成されているので、容易に貫通させることができる。次に、発射ユニット１１を板状部８の前面の正面視右側に持っていき、ベースプレート１５に穿設された係合孔２２と、貫通孔４３に貫通しているボス部９とを対向させる。そして、係合孔２２にビスを貫通させ、ボス部９の固定孔１０にねじ止めする。これにより、発射ユニット１１が、取付台４１を挟んで、フレーム４に直接組み付け固定される。以上のように取付台４１を設けた場合には、上記のボス部９と発射ユニット１１のねじ止めによる高い位置決め精度を実現しつつ、さらに強度の高いパチンコ機１を提供することができる。
【００２６】
尚、フレーム４の板状部８に取付台４１をビス止めし、その取付台４１に対してベースプレート１５をビス止めするような、個々に取り付ける構成とすると、フレーム４と取付台４１との間、また、取付台４１とベースプレート１５との間にそれぞれ取付誤差が生じ、これらが累積してさらに誤差が広がることとなるが、本実施の形態のように、フレーム４とベースプレート１５の間に取付台４１を挟みつつも、板状部８に突設されたボス部９に対してベースプレート１５を直に取り付ける構成とすれば、取付誤差はほとんど生じない。
【００２７】
【発明の効果】
上記説明から明らかなように、請求項１に記載の遊技機によれば、ベースプレートに発射レールを固定し、そのベースプレートの係合孔を、フレームに設けられた突起部に合わせ、ビスを係合孔に貫通させて、突起部の孔部にねじ込んで固定することにより、発射レールがフレームに取り付けられるので、ベースプレートのフレームに対する取付誤差が最小限となり、両者の位置決めを高精度で実現することができる。
【００２８】
請求項２に記載の遊技機によれば、請求項１に記載の発明の効果に加え、フレームの突起部を取付台の貫通孔に貫通させた上で、ベースプレートの係合孔を、フレームに設けられた突起部に合わせ、ビスを係合孔に貫通させて、突起部の孔部にねじ込んで固定するので、遊技機の各種部品を取り付けるための強度を増すことができる。さらに、取付台を挟む構成であっても、ベースプレートはフレームの突起部に直に取り付けられているため、フレームに取付台をビス止めし、さらに取付台をベースプレートビス止めする構成に比べ、取付誤差が累積することがないため、位置決め精度が高精度で実現できる。
【００２９】
請求項３に記載の遊技機によれば、請求項１又は２に記載の発明の効果に加え、ベースプレートに発射装置と前記発射レールと一体に取り付けた上で、ベースプレートの係合孔を、フレームに設けられた突起部に合わせ、ビスを係合孔に貫通させ、突起部の孔部にねじ込んで固定するので、取付工程を簡略化することができる。
【図面の簡単な説明】
【図１】パチンコ機１のガラス枠を開放した状態の正面図である。
【図２】遊技盤７を取り外した状態のパチンコ機１の正面図である。
【図３】遊技盤７及び取付台４１を取り外した状態のパチンコ機１の正面図である。
【図４】発射ユニット１１の正面図である。
【符号の説明】
１      パチンコ機
２      機枠
３      ヒンジ機構
４      フレーム
６      開口部
７      遊技盤
８      板状部
９      ボス部
１０      固定孔
１１      発射ユニット
１２      発射槌
１３      発射モータ
１４      発射レール
１５      ベースプレート
１６      本体レール
１７      取付部材
１８      ねじ孔
１９      ねじ孔
２０      ねじ孔
２１      取付孔
２２      係合孔
３１      外レール
３２      内レール
３３      遊技領域
４１      取付台
４２      補強用リブ
４３      貫通孔
【図１】
2004223116.tif 000003
【図２】
2004223116.tif 000004
【図３】
2004223116.tif 000005
【図４】
2004223116.tif 000006